(57)【要約】  移動端末（４ａ）は、新たに格納されたユーザ情報、あるいは更新されたユーザ情報の種別を示す通知情報を、ユーザ情報格納部から受信する通知情報受信部（４４）と、要求種別記録部（４３）に登録された要求種別情報が示すユーザ情報の種別と、通知情報が示すユーザ情報の種別とが一致するか否かを判定する種別照合部（４５）と、一致すると判定された場合に、新たに格納されたユーザ情報、あるいは更新されたユーザ情報を移動端末（４ａ）へ配信するように要求するユーザ要求情報を、情報配信サーバに対して送信する要求情報送信部（４７）と、送信されたユーザ要求情報に従って、情報配信サーバから配信されたユーザ情報を受信する情報受信部（４８）と、受信されたユーザ情報を、表示部（４９）の所定の表示領域に表示させる表示制御部（５０）とを備える。
2009116130.tif 000002
【特許請求の範囲】
【請求項１】
ユーザ情報を格納するユーザ情報格納部に通信することにより、当該ユーザ情報格納部からユーザ情報を取得し、取得したユーザ情報を配信する情報配信サーバに通信可能な移動端末であって、
当該移動端末のユーザが閲覧を所望するユーザ情報の種別を示す要求種別情報を当該ユーザから受け付け、受け付けた要求種別情報を要求種別記録部へ登録する要求種別登録部と、
前記ユーザ情報格納部にユーザ情報が新たに格納された場合、あるいは前記ユーザ情報格納部に格納されたユーザ情報が更新された場合に、新たに格納されたユーザ情報、あるいは更新されたユーザ情報の種別を示す通知情報を、前記ユーザ情報格納部から受信する通知情報受信部と、
前記要求種別記録部に登録された要求種別情報と、前記通知情報受信部により受信された通知情報とを比較することにより、前記要求種別情報が示すユーザ情報の種別と、前記通知情報が示すユーザ情報の種別とが一致するか否かを判定する種別照合部と、
前記種別照合部により一致すると判定された場合に、前記新たに格納されたユーザ情報、あるいは前記更新されたユーザ情報を前記移動端末へ配信するように要求するユーザ要求情報を、前記情報配信サーバに対して送信する要求情報送信部と、
前記要求情報送信部により送信されたユーザ要求情報に従って、前記情報配信サーバから配信されたユーザ情報を受信する情報受信部と、
前記情報受信部により受信されたユーザ情報を、当該移動端末が備える表示部の所定の表示領域に表示させる表示制御部とを備えたことを特徴とする移動端末。
【請求項２】
前記情報配信サーバは、前記移動端末のユーザに対して提供されるサービス情報を格納するサービス情報格納部に通信可能であって、
前記要求情報送信部は、前記サービス情報を前記移動端末へ配信するように要求するサービス要求情報を、一定の時間間隔で、前記情報配信サーバに対して送信し、
前記情報受信部は、前記要求情報送信部により送信されたサービス要求情報に従って、前記情報配信サーバから配信されたサービス情報を受信し、
前記表示制御部は、前記情報受信部により受信されたサービス情報を、前記ユーザ情報を表示させる所定の表示領域と同じ表示領域に表示可能であって、
前記移動端末は、前記種別照合部により一致すると判定された場合に、前記要求情報送信部によるサービス要求情報の送信を停止するように制御する要求情報制御部をさらに備える、請求項１に記載の移動端末。
【請求項３】
前記表示制御部は、前記表示部の所定の表示領域に、前記ユーザ情報をテロップ表示させる、請求項１または２に記載の移動端末。
【請求項４】
移動端末と、ユーザ情報を格納するユーザ情報格納部と、前記移動端末のユーザに対して提供されるサービス情報を格納するサービス情報格納部とに通信可能な情報配信サーバであって、
前記ユーザ情報を前記移動端末へ配信するように要求するユーザ要求情報、または前記サービス情報を前記移動端末へ配信するように要求するサービス要求情報を、前記移動端末から受信する要求情報受信部と、
前記要求情報受信部によりユーザ要求情報が受信された場合に、当該ユーザ要求情報が示すユーザ情報を、前記ユーザ情報格納部から取得するユーザ情報取得部と、
前記要求情報受信部によりサービス要求情報が受信された場合に、当該サービス要求情報が示すサービス情報を、前記サービス情報格納部から取得するサービス情報取得部と、
前記ユーザ情報取得部により取得されたユーザ情報、または前記サービス情報取得部により取得されたサービス情報を、前記移動端末に対して配信する情報配信部とを備えたことを特徴とする情報配信サーバ。
【請求項５】
請求項１〜３のいずれか一項に記載の移動端末と、
請求項４に記載の情報配信サーバとを備えたことを特徴とする情報配信システム。
【請求項６】
ユーザ情報を格納するユーザ情報格納部に通信することにより、当該ユーザ情報格納部からユーザ情報を取得し、取得したユーザ情報を配信する情報配信サーバに通信可能なコンピュータに処理を実行させるプログラムであって、
当該コンピュータのユーザが閲覧を所望するユーザ情報の種別を示す要求種別情報を当該ユーザから受け付け、受け付けた要求種別情報を要求種別記録部へ登録する要求種別登録処理と、
前記ユーザ情報格納部にユーザ情報が新たに格納された場合、あるいは前記ユーザ情報格納部に格納されたユーザ情報が更新された場合に、新たに格納されたユーザ情報、あるいは更新されたユーザ情報の種別を示す通知情報を、前記ユーザ情報格納部から受信する通知情報受信処理と、
前記要求種別記録部に登録された要求種別情報と、前記通知情報受信処理により受信された通知情報とを比較することにより、前記要求種別情報が示すユーザ情報の種別と、前記通知情報が示すユーザ情報の種別とが一致するか否かを判定する種別照合処理と、
前記種別照合処理により一致すると判定された場合に、前記新たに格納されたユーザ情報、あるいは前記更新されたユーザ情報を前記コンピュータへ配信するように要求するユーザ要求情報を、前記情報配信サーバに対して送信する要求情報送信処理と、
前記要求情報送信処理により送信されたユーザ要求情報に従って、前記情報配信サーバから配信されたユーザ情報を受信する情報受信処理と、
前記情報受信処理により受信されたユーザ情報を、前記コンピュータが備える表示部の所定の表示領域に表示させる表示制御処理とを前記コンピュータに実行させることを特徴とするプログラム。
【請求項７】
移動端末と、ユーザ情報を格納するユーザ情報格納部と、前記移動端末のユーザに対して提供されるサービス情報を格納するサービス情報格納部とに通信可能なコンピュータに処理を実行させるプログラムであって、
前記ユーザ情報を前記移動端末へ配信するように要求するユーザ要求情報、または前記サービス情報を前記移動端末へ配信するように要求するサービス要求情報を、前記移動端末から受信する要求情報受信処理と、
前記要求情報受信処理によりユーザ要求情報が受信された場合に、当該ユーザ要求情報が示すユーザ情報を、前記ユーザ情報格納部から取得するユーザ情報取得処理と、
前記要求情報受信処理によりサービス要求情報が受信された場合には、当該サービス要求情報が示すサービス情報を、前記サービス情報格納部から取得するサービス情報取得処理と、
前記ユーザ情報取得処理により取得されたユーザ情報、または前記サービス情報取得処理により取得されたサービス情報を、前記移動端末に対して配信する情報配信処理とを前記コンピュータに実行させることを特徴とするプログラム。
【請求項８】
ユーザ情報を格納するユーザ情報格納部に通信することにより、当該ユーザ情報格納部からユーザ情報を取得し、取得したユーザ情報を配信する情報配信サーバに通信可能なコンピュータが処理を実行する方法であって、
前記コンピュータが備える要求種別登録部が、当該コンピュータのユーザが閲覧を所望するユーザ情報の種別を示す要求種別情報を当該ユーザから受け付け、受け付けた要求種別情報を要求種別記録部へ登録する要求種別登録工程と、
前記コンピュータが備える通知情報受信部が、前記ユーザ情報格納部にユーザ情報が新たに格納された場合、あるいは前記ユーザ情報格納部に格納されたユーザ情報が更新された場合に、新たに格納されたユーザ情報、あるいは更新されたユーザ情報の種別を示す通知情報を、前記ユーザ情報格納部から受信する通知情報受信工程と、
前記コンピュータが備える種別照合部が、前記要求種別記録部に登録された要求種別情報と、前記通知情報取得工程により取得された通知情報とを比較することにより、前記要求種別情報が示すユーザ情報の種別と、前記通知情報が示すユーザ情報の種別とが一致するか否かを判定する種別照合工程と、
前記コンピュータが備える要求情報送信部が、前記種別照合工程により一致すると判定された場合に、前記新たに格納されたユーザ情報、あるいは前記更新されたユーザ情報を前記コンピュータへ配信するように要求するユーザ要求情報を、前記情報配信サーバに対して送信する要求情報送信工程と、
前記コンピュータが備える情報受信部が、前記要求情報送信工程により送信されたユーザ要求情報に従って、前記情報配信サーバから配信されたユーザ情報を受信する情報受信工程と、
前記コンピュータが備える表示制御部が、前記情報受信工程により受信されたユーザ情報を、前記コンピュータが備える表示部の所定の表示領域に表示させる表示制御工程とを含むことを特徴とするコンピュータが処理を実行する方法。
【請求項９】
移動端末と、ユーザ情報を格納するユーザ情報格納部と、前記移動端末のユーザに対して提供されるサービス情報を格納するサービス情報格納部とに通信可能なコンピュータが処理を実行する方法であって、
前記コンピュータが備える要求情報受信部が、前記ユーザ情報を前記移動端末へ配信するように要求するユーザ要求情報、または前記サービス情報を前記移動端末へ配信するように要求するサービス要求情報を、前記移動端末から受信する要求情報受信工程と、
前記コンピュータが備えるユーザ情報取得部が、前記要求情報受信工程によりユーザ要求情報が受信された場合に、当該ユーザ要求情報が示すユーザ情報を、前記ユーザ情報格納部から取得するユーザ情報取得工程と、
前記コンピュータが備えるサービス情報取得部が、前記要求情報受信工程によりサービス要求情報が受信された場合に、当該サービス要求情報が示すサービス情報を、前記サービス情報格納部から取得するサービス情報取得工程と、
前記コンピュータが備える情報配信部が、前記ユーザ情報取得工程により取得されたユーザ情報、または前記サービス情報取得工程により取得されたサービス情報を、前記移動端末に対して配信する情報配信工程とを含むことを特徴とするコンピュータが処理を実行する方法。
【発明の詳細な説明】
【技術分野】
【０００１】
本発明は、移動端末の表示部に、当該移動端末のユーザに関するユーザ情報を表示させる移動端末、情報配信サーバ、および情報配信システムに関する。
【背景技術】
【０００２】
近年、移動端末の表示部に、情報配信サービス事業者により提供されるサービス情報を、所定の方向（例えば、右から左）へ流れるように表示（テロップ表示）させる技術が普及しつつある（例えば、特開２００６−３１３６６号公報参照）。ここで、サービス情報は、情報配信サービス事業者からユーザに対して提供される情報である。例えば、サービス情報には、ニュースに関する情報、天気予報に関する情報、占いに関する情報、ある企業の広告に関する情報、交通情報、および災害情報等が含まれる。【０００３】
このようなサービス情報を移動端末の表示部にテロップ表示させるために、移動端末は、情報配信サーバに対して、一定の時間間隔で、サービス要求情報（ポーリング要求）を送信する。なお、一定の時間間隔は、例えば、１時間毎、あるいは２時間毎である。サービス要求情報を受信した情報配信サーバは、サービス情報格納部へアクセスすることにより、サービス情報格納部に格納されたサービス情報を取得する。なお、サービス情報格納部には、情報配信サービス事業者によってサービス情報が予め格納されている。情報配信サーバは、取得したサービス情報を、サービス要求情報を送信した移動端末へ配信する。これにより、移動端末の表示部には、サービス情報がテロップ表示される。【０００４】
なお、複数の受信メールの中から、予め設定された条件に合致する受信メールを検索し、検索した受信メールを表示部にテロップ表示させる情報処理装置も従来から知られている（例えば、特開平１０−２６９１５４号公報参照）。
【発明の開示】
【発明が解決しようとする課題】
【０００５】
しかしながら、移動端末のユーザが所持する情報機器（ユーザ情報格納部）に記録されたユーザ情報、あるいはサーバ装置（ユーザ情報格納部）に格納されたユーザ情報については、現状、上記のような仕組みは確立されていない。ここで、ユーザ情報は、移動端末のユーザに関する任意の情報である。このため、移動端末のユーザが、移動端末の表示部にユーザ情報を表示させようとする場合には、次の処理を行う必要があった。すなわち、移動端末のユーザは、当該移動端末を操作することにより、当該移動端末からユーザ情報格納部へアクセスし、当該ユーザ情報格納部からユーザ情報を取得する必要があった。これにより、移動端末の表示部には、ユーザ情報が表示される。つまり、移動端末の表示部にユーザ情報を表示させるためには、移動端末のユーザが当該移動端末を操作する必要があった。このため、移動端末のユーザにとって手間がかかる。【０００６】
また、移動端末の表示部に、情報配信サービス事業者により提供されるサービス情報を表示させる場合には、移動端末は、情報配信サーバに対して、一定の時間間隔で、サービス要求情報を送信する必要があった。このため、サービス情報格納部にサービス情報が新たに格納された場合、あるいはサービス情報格納部に格納されたサービス情報が更新された場合には、移動端末の表示部に、新たに格納されたサービス情報、あるいは更新されたサービス情報をリアルタイムに表示させることができなかった。【０００７】
本発明は、上記の問題点に鑑みてなされたものであり、その目的は、移動端末のユーザが手間をかけることなく、移動端末の表示部に、リアルタイムにユーザ情報を表示させることができる移動端末、情報配信サーバ、および情報配信システムを提供することにある。
【課題を解決するための手段】
【０００８】
上記目的を達成するために本発明における移動端末は、ユーザ情報を格納するユーザ情報格納部に通信することにより、当該ユーザ情報格納部からユーザ情報を取得し、取得したユーザ情報を配信する情報配信サーバに通信可能な移動端末であって、当該移動端末のユーザが閲覧を所望するユーザ情報の種別を示す要求種別情報を当該ユーザから受け付け、受け付けた要求種別情報を要求種別記録部へ登録する要求種別登録部と、前記ユーザ情報格納部にユーザ情報が新たに格納された場合、あるいは前記ユーザ情報格納部に格納されたユーザ情報が更新された場合に、新たに格納されたユーザ情報、あるいは更新されたユーザ情報の種別を示す通知情報を、前記ユーザ情報格納部から受信する通知情報受信部と、前記要求種別記録部に登録された要求種別情報と、前記通知情報受信部により受信された通知情報とを比較することにより、前記要求種別情報が示すユーザ情報の種別と、前記通知情報が示すユーザ情報の種別とが一致するか否かを判定する種別照合部と、前記種別照合部により一致すると判定された場合に、前記新たに格納されたユーザ情報、あるいは前記更新されたユーザ情報を前記移動端末へ配信するように要求するユーザ要求情報を、前記情報配信サーバに対して送信する要求情報送信部と、前記要求情報送信部により送信されたユーザ要求情報に従って、前記情報配信サーバから配信されたユーザ情報を受信する情報受信部と、前記情報受信部により受信されたユーザ情報を、当該移動端末が備える表示部の所定の表示領域に表示させる表示制御部とを備える。【０００９】
本発明の移動端末によれば、要求種別登録部は、移動端末のユーザが閲覧を所望するユーザ情報の種別を示す要求種別情報を当該ユーザから受け付け、受け付けた要求種別情報を要求種別記録部へ登録する。また、通知情報受信部は、ユーザ情報格納部にユーザ情報が新たに格納された場合、あるいはユーザ情報格納部に格納されたユーザ情報が更新された場合に、新たに格納されたユーザ情報、あるいは更新されたユーザ情報の種別を示す通知情報を、ユーザ情報格納部から受信する。そして、種別照合部は、登録された要求種別情報と、受信された通知情報とを比較することにより、要求種別情報が示すユーザ情報の種別と、通知情報が示すユーザ情報の種別とが一致するか否かを判定する。ここで、一致すると判定された場合には、要求情報送信部は、新たに格納されたユーザ情報、あるいは更新されたユーザ情報を移動端末へ配信するように要求するユーザ要求情報を、情報配信サーバに対して送信する。情報受信部は、送信されたユーザ要求情報に従って、情報配信サーバから配信されたユーザ情報を受信する。そして、表示制御部は、情報受信部により受信されたユーザ情報を、移動端末が備える表示部の所定の表示領域に表示させる。すなわち、本発明の移動端末は、ユーザ情報格納部にユーザ情報が新たに格納された場合、あるいはユーザ情報格納部に格納されたユーザ情報が更新された場合に、ユーザ情報格納部から通知情報を受信し、受信した通知情報に基づいて、ユーザ要求情報を情報配信サーバに対して送信している。このため、移動端末のユーザが手間をかけることなく、表示部の所定の表示領域に、リアルタイムにユーザ情報を表示させることができる。【００１０】
上記目的を達成するために本発明における情報配信サーバは、移動端末と、ユーザ情報を格納するユーザ情報格納部と、前記移動端末のユーザに対して提供されるサービス情報を格納するサービス情報格納部とに通信可能な情報配信サーバであって、前記ユーザ情報を前記移動端末へ配信するように要求するユーザ要求情報、または前記サービス情報を前記移動端末へ配信するように要求するサービス要求情報を、前記移動端末から受信する要求情報受信部と、前記要求情報受信部によりユーザ要求情報が受信された場合に、当該ユーザ要求情報が示すユーザ情報を、前記ユーザ情報格納部から取得するユーザ情報取得部と、前記要求情報受信部によりサービス要求情報が受信された場合に、当該サービス要求情報が示すサービス情報を、前記サービス情報格納部から取得するサービス情報取得部と、前記ユーザ情報取得部により取得されたユーザ情報、または前記サービス情報取得部により取得されたサービス情報を、前記移動端末に対して配信する情報配信部とを備える。【００１１】
本発明の情報配信サーバによれば、要求情報受信部は、ユーザ情報を移動端末へ配信するように要求するユーザ要求情報、またはサービス情報を移動端末へ配信するように要求するサービス要求情報を、移動端末から受信する。ここで、要求情報受信部によりユーザ要求情報が受信された場合には、ユーザ情報取得部は、当該ユーザ要求情報が示すユーザ情報を、ユーザ情報格納部から取得する。また、要求情報受信部によりサービス要求情報が受信された場合に、サービス情報取得部は、当該サービス要求情報が示すサービス情報を、サービス情報格納部から取得する。そして、情報配信部は、ユーザ情報取得部により取得されたユーザ情報、またはサービス情報取得部により取得されたサービス情報を、移動端末に対して配信する。これにより、移動端末の表示部に、ユーザ情報またはサービス情報を表示させることができる。【００１２】
上記目的を達成するために本発明における情報配信システムは、本発明に係る移動端末と、本発明に係る情報配信サーバとを備える。【００１３】
上記目的を達成するために本発明におけるプログラムは、ユーザ情報を格納するユーザ情報格納部に通信することにより、当該ユーザ情報格納部からユーザ情報を取得し、取得したユーザ情報を配信する情報配信サーバに通信可能なコンピュータに処理を実行させるプログラムであって、当該コンピュータのユーザが閲覧を所望するユーザ情報の種別を示す要求種別情報を当該ユーザから受け付け、受け付けた要求種別情報を要求種別記録部へ登録する要求種別登録処理と、前記ユーザ情報格納部にユーザ情報が新たに格納された場合、あるいは前記ユーザ情報格納部に格納されたユーザ情報が更新された場合に、新たに格納されたユーザ情報、あるいは更新されたユーザ情報の種別を示す通知情報を、前記ユーザ情報格納部から受信する通知情報受信処理と、前記要求種別記録部に登録された要求種別情報と、前記通知情報受信処理により受信された通知情報とを比較することにより、前記要求種別情報が示すユーザ情報の種別と、前記通知情報が示すユーザ情報の種別とが一致するか否かを判定する種別照合処理と、前記種別照合処理により一致すると判定された場合に、前記新たに格納されたユーザ情報、あるいは前記更新されたユーザ情報を前記コンピュータへ配信するように要求するユーザ要求情報を、前記情報配信サーバに対して送信する要求情報送信処理と、前記要求情報送信処理により送信されたユーザ要求情報に従って、前記情報配信サーバから配信されたユーザ情報を受信する情報受信処理と、
前記情報受信処理により受信されたユーザ情報を、前記コンピュータが備える表示部の所定の表示領域に表示させる表示制御処理とを前記コンピュータに実行させる。【００１４】
上記目的を達成するために本発明におけるプログラムは、移動端末と、ユーザ情報を格納するユーザ情報格納部と、前記移動端末のユーザに対して提供されるサービス情報を格納するサービス情報格納部とに通信可能なコンピュータに処理を実行させるプログラムであって、前記ユーザ情報を前記移動端末へ配信するように要求するユーザ要求情報、または前記サービス情報を前記移動端末へ配信するように要求するサービス要求情報を、前記移動端末から受信する要求情報受信処理と、前記要求情報受信処理によりユーザ要求情報が受信された場合に、当該ユーザ要求情報が示すユーザ情報を、前記ユーザ情報格納部から取得するユーザ情報取得処理と、前記要求情報受信処理によりサービス要求情報が受信された場合には、当該サービス要求情報が示すサービス情報を、前記サービス情報格納部から取得するサービス情報取得処理と、前記ユーザ情報取得処理により取得されたユーザ情報、または前記サービス情報取得処理により取得されたサービス情報を、前記移動端末に対して配信する情報配信処理とを前記コンピュータに実行させる。【００１５】
上記目的を達成するために本発明におけるコンピュータが処理を実行する方法は、ユーザ情報を格納するユーザ情報格納部に通信することにより、当該ユーザ情報格納部からユーザ情報を取得し、取得したユーザ情報を配信する情報配信サーバに通信可能なコンピュータが処理を実行する方法であって、前記コンピュータが備える要求種別登録部が、当該コンピュータのユーザが閲覧を所望するユーザ情報の種別を示す要求種別情報を当該ユーザから受け付け、受け付けた要求種別情報を要求種別記録部へ登録する要求種別登録工程と、前記コンピュータが備える通知情報受信部が、前記ユーザ情報格納部にユーザ情報が新たに格納された場合、あるいは前記ユーザ情報格納部に格納されたユーザ情報が更新された場合に、新たに格納されたユーザ情報、あるいは更新されたユーザ情報の種別を示す通知情報を、前記ユーザ情報格納部から受信する通知情報受信工程と、前記コンピュータが備える種別照合部が、前記要求種別記録部に登録された要求種別情報と、前記通知情報取得工程により取得された通知情報とを比較することにより、前記要求種別情報が示すユーザ情報の種別と、前記通知情報が示すユーザ情報の種別とが一致するか否かを判定する種別照合工程と、前記コンピュータが備える要求情報送信部が、前記種別照合工程により一致すると判定された場合に、前記新たに格納されたユーザ情報、あるいは前記更新されたユーザ情報を前記コンピュータへ配信するように要求するユーザ要求情報を、前記情報配信サーバに対して送信する要求情報送信工程と、前記コンピュータが備える情報受信部が、前記要求情報送信工程により送信されたユーザ要求情報に従って、前記情報配信サーバから配信されたユーザ情報を受信する情報受信工程と、前記コンピュータが備える表示制御部が、前記情報受信工程により受信されたユーザ情報を、前記コンピュータが備える表示部の所定の表示領域に表示させる表示制御工程とを含む。【００１６】
上記目的を達成するために本発明におけるコンピュータが処理を実行する方法は、移動端末と、ユーザ情報を格納するユーザ情報格納部と、前記移動端末のユーザに対して提供されるサービス情報を格納するサービス情報格納部とに通信可能なコンピュータが処理を実行する方法であって、前記コンピュータが備える要求情報受信部が、前記ユーザ情報を前記移動端末へ配信するように要求するユーザ要求情報、または前記サービス情報を前記移動端末へ配信するように要求するサービス要求情報を、前記移動端末から受信する要求情報受信工程と、前記コンピュータが備えるユーザ情報取得部が、前記要求情報受信工程によりユーザ要求情報が受信された場合に、当該ユーザ要求情報が示すユーザ情報を、前記ユーザ情報格納部から取得するユーザ情報取得工程と、前記コンピュータが備えるサービス情報取得部が、前記要求情報受信工程によりサービス要求情報が受信された場合に、当該サービス要求情報が示すサービス情報を、前記サービス情報格納部から取得するサービス情報取得工程と、前記コンピュータが備える情報配信部が、前記ユーザ情報取得工程により取得されたユーザ情報、または前記サービス情報取得工程により取得されたサービス情報を、前記移動端末に対して配信する情報配信工程とを含む。
【発明の効果】
【００１７】
以上のように、本発明の移動端末、情報配信サーバ、および情報配信システムは、移動端末のユーザが手間をかけることなく、移動端末の表示部に、リアルタイムにユーザ情報を表示させることができるという効果を奏する。
【図面の簡単な説明】
【００１８】
【図１】図１は、本発明の実施形態に係る情報配信システムの概略構成を示すブロック図である。
【図２】図２は、上記情報配信システムにおける移動端末の概略構成を示すブロック図である。
【図３】図３は、上記移動端末における要求種別記録部に記録された要求種別情報の一例を示す図である。
【図４】図４は、上記移動端末における要求情報制御部により生成されたユーザ要求情報のデータ構造の一例を示す図である。
【図５】図５は、上記移動端末における表示部の所定の表示領域にテロップ表示されたユーザ情報の一例を示す図である。
【図６】図６は、上記情報配信システムにおける情報配信サーバの概略構成を示すブロック図である。
【図７】図７は、上記移動端末の動作の一例を示すシーケンス図である。
【図８】図８は、上記移動端末からユーザ要求情報が送信された場合の、上記情報配信サーバの動作の一例を示すシーケンス図である。
【図９】図９は、上記移動端末からサービス情報要求情報が送信された場合の、上記情報配信サーバの動作の一例を示すシーケンス図である。
【発明を実施するための最良の形態】
【００１９】
本発明の実施形態において、前記情報配信サーバは、前記移動端末のユーザに対して提供されるサービス情報を格納するサービス情報格納部に通信可能であって、前記要求情報送信部は、前記サービス情報を前記移動端末へ配信するように要求するサービス要求情報を、一定の時間間隔で、前記情報配信サーバに対して送信し、前記情報受信部は、前記要求情報送信部により送信されたサービス要求情報に従って、前記情報配信サーバから配信されたサービス情報を受信し、前記表示制御部は、前記情報受信部により受信されたサービス情報を、前記ユーザ情報を表示させる所定の表示領域と同じ表示領域に表示可能であって、前記移動端末は、前記種別照合部により一致すると判定された場合に、前記要求情報送信部によるサービス要求情報の送信を停止するように制御する要求情報制御部をさらに備える態様とするのが好ましい。【００２０】
上記の構成によれば、要求情報制御部は、種別照合部により一致すると判定された場合に、要求情報送信部によるサービス情報要求情報の送信を停止するように制御する。これにより、表示制御部は、表示部の所定の表示領域にサービス情報を表示させる代わりに、ユーザ情報を表示させることができる。【００２１】
本発明の実施形態において、前記表示制御部は、前記表示部の所定の表示領域に、前記ユーザ情報をテロップ表示させる態様とするのが好ましい。【００２２】
上記の構成によれば、表示制御部は、所定の表示領域に、ユーザ情報をテロップ表示させるので、狭い表示領域であっても、多量のユーザ情報を表示させることができる。なお、テロップ表示は、所定の方向へ流れるように表示することである。【００２３】
以下、本発明のより具体的な実施形態について図１〜図９を参照しながら詳細に説明する。【００２４】
図１は、本実施形態に係る情報配信システム１の概略構成を示すブロック図である。すなわち、本実施形態に係る情報配信システム１は、サービス情報格納部２、ユーザ情報格納部３、移動端末４ａ，４ｂ、および情報配信サーバ５を備えている。サービス情報格納部２、ユーザ情報格納部３、移動端末４ａ，４ｂ、および情報配信サーバ５は、通信回線Ｎに接続されている。通信回線Ｎは、例えば、インターネット、イーサネット（登録商標）、無線ＬＡＮ、任意のコンピュータネットワーク等である。【００２５】
図１では、説明の簡略化のために、サービス情報格納部２、ユーザ情報格納部３、および情報配信サーバ５を１台ずつ、移動端末４ａ，４ｂを２台図示したが、情報配信システム１を構成するサービス情報格納部２、ユーザ情報格納部３、移動端末４ａ，４ｂ、および情報配信サーバ５の数は任意である。また、情報配信システム１上に、無線基地局装置（Ｎｏｄｅ-Ｂ）、無線ネットワーク制御装置（ＲＮＣ；Radio Network Controller）、各種のクライアント装置、各種のサーバ（Ｗｅｂサーバ、メールサーバ、ホームページサーバ、プロキシサーバ、ＤＮＳサーバ、ＤＨＣＰサーバ等）が存在していてもよい。【００２６】
サービス情報格納部２には、情報配信サービス事業者により提供されるサービス情報が格納される。ここで、サービス情報は、情報配信サービス事業者からユーザに対して提供される情報である。例えば、サービス情報には、ニュースに関する情報、天気予報に関する情報、占いに関する情報、ある企業の広告に関する情報、交通情報、および災害情報等が含まれる。つまり、サービス情報は、これらの情報を表すコンテンツである。また、情報配信サービス事業者は、例えば、携帯電話等の無線通信サービスを提供する事業者である。なお、サービス情報格納部２に格納されるサービス情報は、情報配信サービス事業者によって予め格納される。また、サービス情報格納部２に格納されるサービス情報は、情報配信サービス事業者によって定期的に更新される。【００２７】
ユーザ情報格納部３は、移動端末４ａ，４ｂのユーザが所持する情報機器（例えば、パーソナルコンピュータ、通信機器）、あるいはユーザ情報が格納されたサーバ装置である。ここで、ユーザ情報格納部３には、移動端末４ａ，４ｂのユーザに関する任意のユーザ情報が格納される。ユーザ情報格納部３が、移動端末４ａ，４ｂのユーザが所持する情報機器である場合には、ユーザ情報は、例えば、ユーザのスケジュールの内容を示すスケジュール情報、あるいはユーザの受信メールの内容を示すメール情報となる。また、ユーザ情報格納部３が、留守番電話サーバとして機能するサーバ装置であれば、ユーザ情報は、当該サーバ装置の留守番電話に格納された伝言内容を示す伝言情報となる。ここで、本実施形態においては、ユーザ情報格納部３が、留守番電話サーバとして機能するサーバ装置であって、ユーザ情報は、当該サーバ装置の留守番電話に格納された伝言内容を示す伝言情報であるものとする。このため、本実施形態に係るユーザ情報格納部３に格納されたユーザ情報は、音声フォーマットであるＷＡＶＥフォーマットのデータとなる。【００２８】
なお、本実施形態においては、一例として、移動端末４ｂのユーザが、当該移動端末４ｂを用いて移動端末４ａへ発信したが、移動端末４ａのユーザが、何らかの事情により着信に応答できなかったために、移動端末４ｂが、留守番電話サーバとして機能するユーザ情報格納部３に接続された場合について説明する。この場合、ユーザ情報格納部３に、移動端末４ｂのユーザから移動端末４ａのユーザへの伝言内容を示す伝言情報が新たに格納される。【００２９】
ここで、ユーザ情報格納部３は、当該ユーザ情報格納部３にユーザ情報が新たに格納された場合、あるいは当該ユーザ情報格納部３に格納されたユーザ情報が更新された場合に、新たに格納されたユーザ情報、あるいは更新されたユーザ情報の種別を示す通知情報を、通信回線Ｎを介して移動端末４ａ，４ｂへ送信する機能を有している。すなわち、ユーザ情報格納部３は、ユーザ情報を格納する機能と、通知情報を移動端末４ａ，４ｂへ送信する機能（通知機能）とを有している。このため、ユーザ情報格納部３には、移動端末４ａ，４ｂの宛先を示す端末ＩＤが記録されている。なお、ユーザ情報の種別は、ユーザ情報があるカテゴリに従って分類されるべき種類を示す。本実施形態においては、ユーザ情報格納部３に、移動端末４ｂのユーザから移動端末４ａのユーザへの伝言内容を示す伝言情報が新たに格納されたので、ユーザ情報格納部３は、通信回線Ｎを介して、ユーザ情報が伝言情報であることを示す通知情報を、移動端末４ａへ送信する。なお、本実施形態においては、ユーザ情報が伝言情報であることを示す通知情報は「２００」で表されるものとする。【００３０】
なお、本実施形態においては、ユーザ情報が新たに格納されたとき、あるいはユーザ情報が更新されたときから通知情報を移動端末４ａ，４ｂへ送信するまでの送信時間については、特に限定されない。但し、リアルタイムにユーザ情報を表示部４９に表示させるためには、この送信時間はなるべく短いことが好ましい。【００３１】
図２は、本実施形態に係る移動端末４ａの概略構成を示すブロック図である。なお、移動端末４ｂの構成も図２に示す移動端末４ａの構成と同様である。すなわち、移動端末４ａは、入力部４１、要求種別登録部４２、要求種別記録部４３、通知情報受信部４４、種別照合部４５、要求情報制御部４６、要求情報送信部４７、情報受信部４８、表示部４９、および表示制御部５０を備えている。なお、移動端末４ａ，４ｂは、例えば、携帯電話、ＰＨＳ（Personal Handyphone System）、ＰＤＡ（Personal Digital Assistant）、ＨＨＴ（Hand Held Terminal）、ノート型パーソナルコンピュータ、タブレット型パーソナルコンピュータ等の無線通信可能な端末である。【００３２】
ここで、上記の入力部４１、要求種別登録部４２、通知情報受信部４４、種別照合部４５、要求情報制御部４６、要求情報送信部４７、情報受信部４８、表示部４９、および表示制御部５０の各機能は、コンピュータが備えるＣＰＵ等の演算装置が所定のプログラムを実行することによって実現される。したがって、上記の各機能をコンピュータで実現するためのプログラムまたはそれを記録した記録媒体も本発明の一実施態様である。また、要求種別記録部４３は、コンピュータの内蔵記憶装置またはこのコンピュータからアクセス可能な記憶装置によって具現化される。【００３３】
入力部４１は、入力キー、入力ボタン、タッチパネル、および音声認識装置等の任意の入力デバイスから構成される。【００３４】
要求種別登録部４２は、移動端末４ａのユーザが閲覧を所望するユーザ情報の種別を示す要求種別情報を、入力部４１を介して当該ユーザから受け付ける。要求種別登録部４２は、受け付けた要求種別情報を要求種別記録部４３へ登録する。図３は、本実施形態に係る要求種別記録部４３に登録された要求種別情報の一例を示す図である。図３に示すように、要求種別記録部４３には、要求種別情報として、識別番号と、ユーザ情報の種別とが記録されている。なお、識別番号は、ユーザ情報の種別を一意に識別する番号である。図３に示す例では、要求種別記録部４３には、要求種別情報として、識別番号「１００」と、ユーザ情報の種別「スケジュール情報」とが記録されている。また、要求種別記録部４３には、要求種別情報として、識別番号「２００」と、ユーザ情報の種別「伝言情報」とが記録されている。さらに、要求種別記録部４３には、要求種別情報として、識別番号「３００」と、ユーザ情報の種別「メール情報」とが記録されている。【００３５】
通知情報受信部４４は、ユーザ情報格納部３から通知情報が送信された場合に、当該ユーザ情報格納部３から送信された通知情報を受信する。通知情報受信部４４は、受信した通知情報を種別照合部４５に出力する。【００３６】
種別照合部４５は、要求種別記録部４３に登録された要求種別情報と、通知情報受信部４４から出力された通知情報とを比較することにより、要求種別情報が示すユーザ情報の種別と、通知情報が示すユーザ情報の種別とが一致するか否かを判定する。本実施形態においては、通知情報受信部４４から出力された通知情報が「２００」を表しているので、種別照合部４５は、当該通知情報「２００」と、要求種別情報が示す識別番号「２００」とが一致すると判定する。【００３７】
要求情報制御部４６は、種別照合部４５により一致すると判定された場合に、新たに格納されたユーザ情報、あるいは更新されたユーザ情報を移動端末４ａへ配信するように要求するユーザ要求情報（ポーリング要求）を生成する。図４は、本実施形態に係る要求情報制御部４６により生成されたユーザ要求情報のデータ構造の一例を示す図である。図４に示すように、ユーザ要求情報には、ＨＴＴＰ（Hyper Text Transfer Protocol）ヘッダと、メッセージ（ｂｏｄｙ）とを含んでいる。ＨＴＴＰヘッダには、コマンドと、情報配信サーバ５の宛先を示すホストＵＲＬと、メッセージを管理するためのメッセージ管理番号とを含んでいる。また、メッセージには、要求チャネル番号と、端末加入者番号とを含んでいる。ここで、本実施形態においては、要求チャネル番号に、伝言情報であることを示す識別番号「２００」と、ユーザ情報格納部３のネットワーク上の位置を示すアドレス情報（ＩＰアドレス、ＭＡＣアドレス等）とが組み込まれている。また、端末加入者番号に、送信元の移動端末４ａの端末ＩＤが組み込まれている。要求情報制御部４６は、生成したユーザ要求情報を要求情報送信部４７に出力する。【００３８】
ところで、要求情報制御部４６は、サービス情報格納部２に格納されたサービス情報を移動端末４ａへ配信するように要求するサービス要求情報（ポーリング要求）を生成する機能をも有している。すなわち、要求情報制御部４６は、一定の時間間隔で、サービス要求情報を生成している。なお、一定の時間間隔は、例えば、１時間毎、あるいは２時間毎である。要求情報制御部４６は、サービス要求情報を生成した場合には、生成したサービス要求情報を要求情報送信部４７に出力する。【００３９】
ここで、本実施形態に係る要求情報制御部４６は、種別照合部４５により一致すると判定された場合に、一定の時間間隔で行っているサービス要求情報の生成処理を停止する。これにより、要求情報制御部４６は、サービス要求情報の代わりに、ユーザ要求情報を生成することができる。なお、本実施形態においては、移動端末４ａのユーザが、入力部４１を介して解除処理を行うことにより、停止されたサービス要求情報の生成処理を再開することができるようになっている。【００４０】
要求情報送信部４７は、要求情報制御部４６からユーザ要求情報が出力された場合に、当該ユーザ要求情報を、通信回線Ｎを介して情報配信サーバ５へ送信する。また、要求情報送信部４７は、要求情報制御部４６からサービス要求情報が出力された場合に、当該サービス要求情報を、一定の時間間隔で、通信回線Ｎを介して情報配信サーバ５へ送信する。【００４１】
要求情報送信部４７により送信されたユーザ要求情報に従って、情報配信サーバ５からユーザ情報が配信された場合には、情報受信部４８は、当該ユーザ情報を受信する。情報受信部４８は、受信したユーザ情報を表示制御部５０に出力する。また、要求情報送信部４７により送信されたサービス要求情報に従って、情報配信サーバ５からサービス情報が配信された場合には、情報受信部４８は、当該サービス情報を受信する。情報受信部４８は、受信したサービス情報を表示制御部５０に出力する。【００４２】
表示部４９は、液晶ディスプレイ、有機ＥＬディスプレイ、プラズマディスプレイ、およびＣＲＴディスプレイ等の任意の表示デバイスから構成される。【００４３】
情報受信部４８からサービス情報が出力された場合には、表示制御部５０は、当該サービス情報を、表示部４９の所定の表示領域にテロップ表示させる。なお、テロップ表示は、所定の方向へ流れるように表示することである。また、情報受信部４８からユーザ情報が出力された場合には、表示制御部５０は、当該ユーザ情報を、サービス情報をテロップ表示させる表示領域と同じ表示領域にテロップ表示させる。これにより、サービス情報をテロップ表示させる表示領域と、ユーザ情報をテロップ表示させる表示領域とが互いに異なる表示領域である態様と比較して、ユーザ情報あるいはサービス情報を表示させるための表示部４９の表示領域を抑えることができる。また、表示制御部５０は、表示領域にユーザ情報をテロップ表示させるので、狭い表示領域であっても、多量のユーザ情報を表示させることができる。【００４４】
図５は、本実施形態に係る表示部４９の表示領域にテロップ表示されたユーザ情報の一例を示す図である。図５に示すように、表示部４９の下部には、表示領域Ｅが設けられている。なお、表示領域Ｅの位置については特に限定されない。表示領域Ｅには、文字が右から左へ流れるように、ユーザ情報Ｕが表示される。ユーザ情報Ｕは、例えば、テキストフォーマットに変換された伝言内容である。なお、表示部４９には、ユーザ情報Ｕの他に、任意の画像Ｇが表示されている。ここで、本実施形態においては、表示部４９の表示領域Ｅには、ユーザ情報Ｕとともに、発信元の移動端末４ｂの電話番号と、ユーザ情報格納部３に伝言情報が新たに格納された日時（格納日時）とがテロップ表示される。これにより、移動端末４ａのユーザは、移動端末４ｂのユーザの伝言内容を閲覧することができるとともに、移動端末４ｂの電話番号や格納日時も閲覧することができる。【００４５】
なお、上記では、表示制御部５０は、ユーザ情報Ｕを、表示部４９の表示領域Ｅにテロップ表示させる例について説明したが、これに限定されない。例えば、表示制御部５０は、ユーザ情報Ｕを、表示部４９の表示領域Ｅに単に表示させるようにしてもよい。この場合、例えば、テロップ表示のように流れるような表示ではなく、ユーザ情報Ｕを、表示領域Ｅに表示可能な情報量の単位に区切って、所定時間毎に切り替えて表示するようにしてもよいし、ユーザ情報の所定の部分のみを表示するようにしてもよい。【００４６】
図６は、本実施形態に係る情報配信サーバ５の概略構成を示すブロック図である。すなわち、情報配信サーバ５は、要求情報受信部５１、要求情報解析部５２、ユーザ情報取得部５３、サービス情報取得部５４、フォーマット変換部５５、および情報配信部５６を備えている。【００４７】
ここで、上記の要求情報受信部５１、要求情報解析部５２、ユーザ情報取得部５３、サービス情報取得部５４、フォーマット変換部５５、および情報配信部５６の各機能は、コンピュータが備えるＣＰＵ等の演算装置が所定のプログラムを実行することによって実現される。したがって、上記の各機能をコンピュータで実現するためのプログラムまたはそれを記録した記録媒体も本発明の一実施態様である。【００４８】
移動端末４ａからサービス要求情報が送信された場合には、要求情報受信部５１は、当該サービス要求情報を受信する。要求情報受信部５１は、受信したサービス要求情報を、要求情報解析部５２に出力する。また、移動端末４ａからユーザ要求情報が送信された場合には、要求情報受信部５１は、当該ユーザ要求情報を受信する。要求情報受信部５１は、受信したユーザ要求情報を、要求情報解析部５２に出力する。【００４９】
要求情報解析部５２は、要求情報受信部５１から出力されたサービス要求情報またはユーザ要求情報を解析する。例えば、要求情報受信部５１から出力された要求情報がユーザ要求情報である場合には、要求情報解析部５２は、当該ユーザ要求情報から要求チャネル番号を抽出する。要求情報解析部５２は、抽出した要求チャネル番号に基づいて、取得すべきユーザ情報が格納されたユーザ情報格納部３のアドレス情報を検出する。要求情報解析部５２は、検出したアドレス情報を出力することにより、ユーザ要求情報が示すユーザ情報をユーザ情報格納部３から取得するように、ユーザ情報取得部５３に対して指示する。また、例えば、要求情報受信部５１から出力された要求情報がサービス要求情報である場合には、要求情報解析部５２は、情報配信サーバ５内の図示しないメモリに予め記録されたサービス情報格納部２のアドレス情報を当該メモリから読み出す。要求情報解析部５２は、読み出したアドレス情報を出力することにより、サービス要求情報が示すサービス情報をサービス情報格納部２から取得するように、サービス情報取得部５４に対して指示する。【００５０】
ユーザ情報取得部５３は、要求情報解析部５２からの指示に従って、ユーザ要求情報が示すユーザ情報を、通信回線Ｎを介してユーザ情報格納部３から取得する。ユーザ情報取得部５３は、取得したユーザ情報をフォーマット変換部５５に出力する。【００５１】
サービス情報取得部５４は、要求情報解析部５２からの指示に従って、サービス要求情報が示すサービス情報を、通信回線Ｎを介してサービス情報格納部２から取得する。サービス情報取得部５４は、取得したサービス情報をフォーマット変換部５５に出力する。【００５２】
フォーマット変換部５５は、ユーザ情報取得部５３から出力されたユーザ情報のフォーマット、あるいはサービス情報取得部５４から出力されたサービス情報のフォーマットを、移動端末４ａの表示部４９に表示できるようなフォーマットに変換する。本実施形態においては、ユーザ情報取得部５３から出力されたユーザ情報はＷＡＶＥフォーマットであるので、フォーマット変換部５５は、ＷＡＶＥフォーマットからテキストフォーマットに変換する。フォーマット変換部５５は、フォーマットを変換したユーザ情報またはサービス情報を、情報配信部５６に出力する。【００５３】
フォーマット変換部５５からユーザ情報が出力された場合には、情報配信部５６は、当該ユーザ情報を、通信回線Ｎを介して移動端末４ａへ配信する。また、フォーマット変換部５５からサービス情報が出力された場合には、情報配信部５６は、当該サービス情報を、通信回線Ｎを介して移動端末４ａへ配信する。【００５４】
次に、上記の構成に係る情報配信システム１の動作について、図７〜図９を参照しながら説明する。【００５５】
図７は、上記の移動端末４ａの動作の一例を示すシーケンス図である。すなわち、図７に示すように、要求種別登録部４２は、移動端末２ａのユーザが閲覧を所望するユーザ情報の種別を示す要求種別情報を、入力部４１を介して当該ユーザから受け付ける（＃１）。要求種別登録部４２は、＃１にて受け付けた要求種別情報を要求種別記録部４３へ登録する（＃２）。【００５６】
通知情報受信部４４は、ユーザ情報格納部３から送信された通知情報を受信する（＃３）。通知情報受信部４４は、＃３にて取得された通知情報を種別照合部４５に出力する（＃４）。種別照合部４５は、＃２にて登録された要求種別情報と、＃４にて出力された通知情報とを比較することにより、要求種別情報が示すユーザ情報の種別と、通知情報が示すユーザ情報の種別とが一致するか否かを判定する（＃５）。種別照合部４５は、＃５にて判定された判定結果を要求情報制御部４６に出力する（＃６）。【００５７】
そして、要求情報制御部４６は、＃６にて出力された判定結果が、要求種別情報が示すユーザ情報の種別と、通知情報が示すユーザ情報の種別とが一致していることを示していれば、新たに格納されたユーザ情報、あるいは更新されたユーザ情報を移動端末４ａへ配信するように要求するユーザ要求情報を生成する（＃７）。そして、要求情報制御部４６は、一定の時間間隔で行っているサービス要求情報の生成処理を停止する（＃８）。要求情報制御部４６は、＃７にて生成されたユーザ要求情報を要求情報送信部４７に出力する（＃９）。要求情報送信部４７は、＃９にて出力されたユーザ要求情報を、通信回線Ｎを介して情報配信サーバ５へ送信する（＃１０）。【００５８】
そして、情報受信部４８は、＃１０にて送信されたユーザ要求情報に従って、情報配信サーバ５から配信されたユーザ情報を受信する（＃１１）。情報受信部４８は、＃１１にて受信されたユーザ情報を表示制御部５０に出力する（＃１２）。表示制御部５０は、＃１２にて出力されたユーザ情報を、表示部４９の表示領域Ｅにテロップ表示させる（＃１３）。これにより、表示部４９の表示領域Ｅには、図５に示すように、右から左へ流れるように、ユーザ情報Ｕがテロップ表示される。この結果、移動端末４ａのユーザは、ユーザ情報Ｕを閲覧することができる。【００５９】
図８は、移動端末４ａからユーザ要求情報が送信された場合の、上記の情報配信サーバ５の動作の一例を示すシーケンス図である。すなわち、図８に示すように、要求情報受信部５１は、移動端末４ａから送信されたユーザ要求情報（図７の＃１０）を受信する（＃２１）。要求情報受信部５１は、＃２１にて受信されたユーザ要求情報を要求情報解析部５２に出力する（＃２２）。【００６０】
そして、要求情報解析部５２は、＃２２にて出力されたユーザ要求情報を解析する（＃２３）。＃２３にて解析された結果、要求情報解析部５２は、＃２２にて出力されたユーザ要求情報が示すユーザ情報をユーザ情報格納部３から取得するように、ユーザ情報取得部５３に対して指示する（＃２４）。ユーザ情報取得部５３は、＃２４の指示に従って、ユーザ要求情報が示すユーザ情報を情報配信サーバ５に対して送信するように、ユーザ情報格納部３へ依頼する（＃２５）。ユーザ情報格納部３は、＃２５の送信依頼に従って、ユーザ要求情報が示すユーザ情報を情報配信サーバ５（ユーザ情報取得部５３）へ送信する（＃２６）。これにより、ユーザ情報取得部５３は、ユーザ情報を取得することができる。ユーザ情報取得部５３は、取得したユーザ情報をフォーマット変換部５５に出力する（＃２７）。【００６１】
そして、フォーマット変換部５５は、＃２７にて出力されたユーザ情報のフォーマットを、移動端末４ａの表示部４９に表示できるようなフォーマットに変換する（＃２８）。フォーマット変換部５５は、＃２８にてフォーマットが変換されたユーザ情報を、情報配信部５６に出力する（＃２９）。情報配信部５６は、＃２９にて出力されたユーザ情報を、通信回線Ｎを介して移動端末４ａへ配信する（＃３０）。【００６２】
図９は、移動端末４ａからサービス要求情報が送信された場合の、上記の情報配信サーバ５の動作の一例を示すシーケンス図である。すなわち、図９に示すように、要求情報受信部５１は、移動端末４ａから送信されたサービス要求情報を受信する（＃３１）。要求情報受信部５１は、＃３１にて受信されたサービス要求情報を要求情報解析部５２に出力する（＃３２）。【００６３】
そして、要求情報解析部５２は、＃２２にて出力されたサービス要求情報を解析する（＃３３）。＃３３にて解析された結果、要求情報解析部５２は、＃３２にて出力されたサービス要求情報が示すサービス情報をサービス情報サーバ２から取得するように、サービス情報取得部５４に対して指示する（＃３４）。サービス情報取得部５４は、＃３４の指示に従って、サービス要求情報が示すサービス情報を情報配信サーバ５に対して送信するように、サービス情報格納部２へ依頼する（＃３５）。サービス情報格納部２は、＃３５の送信依頼に従って、サービス要求情報が示すサービス情報を情報配信サーバ５（サービス情報取得部５４）へ送信する（＃３６）。これにより、サービス情報取得部５４は、サービス情報を取得することができる。サービス情報取得部５４は、取得したサービス情報をフォーマット変換部５５に出力する（＃３７）。【００６４】
そして、フォーマット変換部５５は、＃３７にて出力されたサービス情報のフォーマットを、移動端末４ａの表示部４９に表示できるようなフォーマットに変換する（＃３８）。フォーマット変換部５５は、＃３８にてフォーマットが変換されたサービス情報を、情報配信部５６に出力する（＃３９）。情報配信部５６は、＃３９にて出力されたサービス情報を、通信回線Ｎを介して移動端末４ａへ配信する（＃４０）。【００６５】
以上のように、本実施形態に係る情報配信システム１によれば、ユーザ情報格納部３にユーザ情報が新たに格納された場合、あるいはユーザ情報格納部３に格納されたユーザ情報が更新された場合に、新たに格納されたユーザ情報、あるいは更新されたユーザ情報を、移動端末４ａのユーザが手間をかけることなく、移動端末４ａの表示部４９に、リアルタイムに表示させることができる。また、情報配信システム１を利用しているユーザが配信を所望する情報のバリエーションを、容易に追加することが可能となるので、情報配信サービスの利便性が向上される。【００６６】
なお、本実施形態においては、ユーザ情報格納部は、留守番電話サーバとして機能するサーバ装置であって、ユーザ情報は、当該サーバ装置の留守番電話に格納された伝言内容を示す伝言情報である例について説明したが、これに限定されない。例えば、ユーザ情報格納部は、移動端末のユーザが所持する情報機器であって、ユーザ情報は、当該情報機器に記録されたユーザのスケジュールの内容を示すスケジュール情報であってもよい。また、例えば、ユーザ情報格納部は、移動端末のユーザが所持する情報機器であって、ユーザ情報は、当該情報機器に記録されたユーザの受信メールの内容を示すメール情報であってもよい。すなわち、ユーザ情報が移動端末のユーザに関する情報であれば、上記の伝言情報、スケジュール情報、メール情報以外に、不定期あるいは定期的に情報の更新や追加が発生し、その情報をユーザが適宜取得して参照等を行う情報であれば、様々な任意の情報も含み得る。【００６７】
すなわち、本発明は上述した実施形態に限定されるものではなく、請求項に示した範囲で種々の変更が可能である。つまり、請求項に示した範囲で適宜変更した技術的手段を組み合わせて得られる実施形態についても本発明の技術的範囲に含まれる。
【産業上の利用可能性】
【００６８】
以上のように、本発明は、移動端末のユーザが手間をかけることなく、移動端末の表示部に、リアルタイムにユーザ情報を表示させることができる移動端末、情報配信サーバ、または情報配信システムとして有用である。
【図１】
2009116130.tif 000003
【図２】
2009116130.tif 000004
【図３】
2009116130.tif 000005
【図４】
2009116130.tif 000006
【図５】
2009116130.tif 000007
【図６】
2009116130.tif 000008
【図７】
2009116130.tif 000009
【図８】
2009116130.tif 000010
【図９】
2009116130.tif 000011
【国際調査報告】
2009116130.tif 000012
2009116130.tif 000013